(57)【要約】【課題】レンズ鏡筒の外周に設けられた電子部品の故障を抑制可能な、監視用レンズ装置および監視用カメラを提供する。【解決手段】カメラ本体に結合されるマウント部３０に、マウント部からレンズ鏡筒２０側に延設され、レンズ鏡筒の外周に露出して設けられた電子部品４１、４２を覆うように配置される保護カバー３５を設けた監視用レンズ装置が提供される。かかる構成によれば、レンズ鏡筒の外周に露出して設けられた電子部品を保護カバーにより覆うことで、監視用カメラの設置に際して、電子部品の故障を抑制することができる。また、カメラ本体に結合されるマウント部に保護カバーを設けることで、剛性が高いマウント部に保護カバーを堅固に設けることができる。【選択図】図１
2009216792.tif 000002
【特許請求の範囲】
【請求項１】
カメラ本体に結合されるマウント部に、前記マウント部からレンズ鏡筒側に延設され、前記レンズ鏡筒の外周に露出して設けられた電子部品を覆うように配置される保護カバーを設けたことを特徴とする、監視用レンズ装置。
【請求項２】
前記保護カバーは、前記マウント部と一体に形成されたことを特徴とする、請求項１に記載の監視用レンズ装置。
【請求項３】
前記レンズ鏡筒の外周には、レンズ機能を手動調整するための調整手段が設けられたことを特徴とする、請求項１または２に記載の監視用レンズ装置。
【請求項４】
光軸方向を手動調整するための調整手段を設けた監視用カメラに用いられることを特徴とする、請求項１〜３のいずれかに記載の監視用レンズ装置。
【請求項５】
前記保護カバーには、前記調整手段の調整に際して保持可能な保持部が設けられたことを特徴とする、請求項３または４に記載の監視用レンズ装置。
【請求項６】
カメラ本体に結合されるマウント部に、前記マウント部からレンズ鏡筒側に延設され、前記レンズ鏡筒の外周に露出して設けられた電子部品を覆うように配置される保護カバーを設けたレンズ装置を有することを特徴とする、監視用カメラ。
【発明の詳細な説明】
【技術分野】
【０００１】
本発明は、監視用レンズ装置および監視用カメラに関する。
【背景技術】
【０００２】
近年、金融業や小売業などの店舗などでは、小型の監視用カメラが多用されている。監視用カメラは、カメラ本体に監視用レンズ装置をマウントして用いられる。
【０００３】
監視用カメラの設置に際して、レンズ装置は、設置場所の撮影条件に応じて調整される。このため、レンズ装置は、撮影方向を調整するために、光軸方向を調整可能な状態にあるカメラ本体にマウントされ、および／または、ズーム、フォーカスを調整するために、手動または電動の調整機構を有する。さらに、レンズ装置には、例えば、アイリス、ＩＲカットフィルタなどを電動制御するために、例えばメータなどの電子部品が設けられる場合もある。
【０００４】
監視用カメラは、一般に、監視対象となる撮影範囲の確保、妨害行為の抑制などを目的として、店舗の天井や壁面などに、基台、吊柱などの支持部材を介して設置される。監視用カメラの設置は、レンズ装置がマウントされたカメラ本体を支持部材に保持させた状態で、レンズの光軸方向を調整し、ズーム、フォーカスを調整することにより行われる。
【０００５】
【特許文献１】特開２００７−３１０２２８号公報
【特許文献２】特開２００４−９４００３号公報
【発明の開示】
【発明が解決しようとする課題】
【０００６】
監視用カメラの設置に際して、例えば、アイリス用、ＩＲカットフィルタ用のメータなど、レンズ装置に設けられた電子部品が離脱、ショートするなど、故障し易くなるおそれがある。この種の電子部品は、一般に、レンズ鏡筒の外周に露出した状態で、または、場合によっては、防塵キャップなどにより覆われた状態で設けられている。
【０００７】
電子部品は、レンズ装置の光軸方向、ズーム、フォーカスなどの調整に際して、電子部品を保持した状態で調整が行われたり、カメラ本体に対するレンズ装置の取付に際して、電子部品を保持した状態で取付けが行われたり、電子部品に過って強い衝撃が加えられたりすることによって、故障する場合がある。また、防塵キャップなどにより覆われた状態で設けられている場合でも、防塵キャップがレンズ鏡筒に対して堅固に固定されていないため、防塵キャップの離脱、破損に伴って、電子部品が故障する場合もある。
【０００８】
特に、ズーム、フォーカスなどの調整が手動で行われる場合には、設置条件に応じては調整作業自体が困難となり、電子部品の故障が発生し易くなる。また、カメラの高画質化に伴って高精度な調整が要求されること、レンズ装置の小型化が進展していることによっても、調整作業の困難性が増大し、電子部品の故障が発生し易くなる。
【０００９】
本発明は上記問題点に鑑みてなされたものであり、その目的は、レンズ鏡筒の外周に設けられた電子部品の故障を抑制可能な、新規かつ改良された監視用レンズ装置および監視用カメラを提供することにある。
【課題を解決するための手段】
【００１０】
上記課題を解決するために、本発明の第１の観点によれば、カメラ本体に結合されるマウント部に、マウント部からレンズ鏡筒側に延設され、レンズ鏡筒の外周に露出して設けられた電子部品を覆うように配置される保護カバーを設けた監視用レンズ装置が提供される。
【００１１】
かかる構成によれば、レンズ鏡筒の外周に露出して設けられた電子部品を保護カバーにより覆うことで、監視用カメラの設置に際して、電子部品の故障を抑制することができる。また、カメラ本体に結合されるマウント部に保護カバーを設けることで、剛性が高いマウント部に保護カバーを堅固に設けることができる。
【００１２】
また、上記保護カバーは、マウント部と一体に形成されてもよい。これにより、保護カバーの剛性が高まり、保護カバーの保護機能が強化されることで、電子部品の故障を抑制することができる。
【００１３】
また、上記レンズ鏡筒の外周には、レンズ機能を手動調整するための調整手段が設けられてもよい。これにより、電子部品の故障が発生し易くなる、フォーカス、ズームなど、レンズ機能の手動調整に際しても、電子部品の故障を抑制することができる。
【００１４】
また、上記監視用レンズ装置は、光軸方向を手動調整するための調整手段を設けた監視用カメラに用いられてもよい。これにより、電子部品の故障が発生し易くなる光軸方向の手動調整に際しても、電子部品の故障を抑制することができる。
【００１５】
また、上記保護カバーには、調整手段の調整に際して保持可能な保持部が設けられてもよい。これにより、保持部を保持して調整作業を行うことにより、レンズ機能および／または光軸方向の手動調整の困難性が低減するので、電子部品の故障を抑制することができる。
【００１６】
上記課題を解決するために、本発明の第２の観点によれば、前述した本発明の第１の観点に係る監視用レンズ装置を有する監視用カメラが提供される。
【発明の効果】
【００１７】
本発明によれば、レンズ鏡筒の外周に設けられた電子部品の故障を抑制可能な、監視用レンズ装置および監視用カメラを提供することができる。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
以下では、まず、図４〜７を参照しながら、監視用カメラの設置方法および従来の監視用レンズ装置について説明する。そして、図１〜３を参照しながら、本発明の実施形態に係る監視用レンズ装置について説明する。
【００２０】
（監視用カメラの設置方法）
図４は、監視用カメラ１の一例を示す斜視図である。また、図５は、図４に示す監視用カメラ１を天井に設置した状態を示す断面図である。なお、図４および図５では、ドーム状のケース４を有する監視用カメラ１の場合について説明するが、ドーム状以外のケースを有する監視用カメラ、またはケースを有しない監視用カメラの場合についても、同様に説明することができる。
【００２１】
図４および図５に示すように、監視用カメラ１は、基台２、基台２に固定されるケース部材３、ケース部材３の内部に配される監視用レンズ装置１０を有する。図５に示すように、レンズ装置１０は、基台２に対して角度θで傾動可能に、かつ、基台２に対して中心線Ｃを回転軸として回動可能に取付けられている。
【００２２】
また、ケース部材３の内側では、レンズ装置１０にカバー部材４が装着されている。カバー部材４は、レンズ装置１０を覆い隠すように設けられている。カバー部材４には、レンズ装置１０の傾動可能な範囲に対応して開口５が設けられている。カバー部材４は、レンズ装置１０とともに、基台２に対して中心線Ｃを回転軸として回動可能である。
【００２３】
レンズ鏡筒２０の外周には、フォーカスリング２１、ズームリング２２、フォーカス／ズーム固定ノブ２３が設けられている。また、レンズ鏡筒２０の外周には、アイリス用、ＩＲカットフィルタ用のメータなどの電子部品４１、４２が露出して設けられている。
【００２４】
監視用カメラ１の設置に際して、ユーザは、第１の作業として、監視用カメラ１を店舗などの天井、壁面などに基台２を介して設置する。第２の作業として、ケース部材３およびカバー部材４を監視用カメラ１から取り外す（なお、監視用カメラ１の設置前に予め取り外してもよい。）。第３の作業として、レンズ鏡筒２０を保持した状態で回動・傾動操作して、レンズ装置１０の光軸方向（パン方向および／またはチルト方向）を調整する。第４の作業として、レンズ鏡筒２０を保持した状態でフォーカスリング２１およびズームリング２２を回動操作して、フォーカスおよびズームを調整し、フォーカス／ズーム固定ノブ２３によりフォーカスおよびズームの調整を固定する。第５の作業として、光軸方向、フォーカスおよびズームなどの調整状態を確認した上で、ケース部材３およびカバー部材４を監視用カメラ１に取付ける。なお、ケース部材３を有する監視用カメラ１の場合には、ケース部材３の取付けにより、光路長が変化するので、ユーザは、一般に、第４および第５の作業を試行錯誤的に繰返すことになる。
【００２５】
ここで、監視用カメラ１の設置に際しては、レンズ鏡筒２０を保持した状態で光軸方向、フォーカスおよびズームを調整するので、レンズ鏡筒２０の外周に露出して設けられた電子部品４１、４２に強い衝撃が加えられ、電子部品４１、４２が故障に至る場合がある。
【００２６】
（従来の監視用レンズ装置）
図６は、従来の監視用レンズ装置の一例を示す説明図である。図６には、レンズ装置の上面図（ａ）、側面図（ｂ）、正面図（ｃ）、および背面図（ｄ）が示されている。
【００２７】
図６に示すように、レンズ装置１０は、レンズ鏡筒２０およびマウント部３０により構成される。レンズ鏡筒２０の外周には、フォーカスリング２１、ズームリング２２、フォーカス／ズーム固定ノブ２３、ＩＲカットフィルタ用メータ４１、アイリス用メータ４２が設けられている。
【００２８】
フォーカスリング２１およびズームリング２２は、レンズ鏡筒２０内のフォーカスレンズ（群）およびズームレンズ（群）の位置に対応して設けられ、レンズ鏡筒２０の前側（被写体側）および後側に各々に設けられている。また、ズームリング２２には、フォーカスリング２１の外周を覆うように被写体側に延在した延長部が設けられている。レンズ鏡筒２０の前側端部の近傍には、フォーカスリング２１およびズームリング２２に回動操作用の凹凸部２５、２６が設けられている。フォーカス／ズーム固定ノブ２３は、ノブ２３の操作によりフォーカスおよびズームの調整を固定する機構として設けられている。
【００２９】
ＩＲカットフィルタ用メータ４１は、ガルバノメータなどからなり、ケーブル４３およびコネクタ４４を介してカメラ本体側から供給される制御信号によって、ＩＲカットフィルタ４１の装着状態を切替える機構として設けられている。アイリス用メータ４２も、ガルバノメータなどからなり、カメラ本体側から供給される制御信号によって、アイリスを調整する機構として設けられている。
【００３０】
マウント部３０は、ＣＣＤホルダ３１を有し、ネジ３３などの締結手段によりレンズ鏡筒２０に固定される。図６に示すレンズ装置１０は、いわゆるボードマウント型のレンズ装置である。このため、マウント部３０は、結合対象となるカメラ本体の結合部に対応するように設けられたピン３２などにより位置決めされた状態で、カメラ本体に結合される。ここで、マウント部３０は、カメラ本体との結合を確実にするために、例えば、剛性の高い樹脂、金属などにより形成されている。
【００３１】
図７は、従来の監視用レンズ装置の他の例を示す説明図である。図７には、レンズ装置の上面図（ａ）、側面図（ｂ）、正面図（ｃ）、および背面図（ｄ）が示されている。以下では、図７に示すレンズ装置６０の構成について説明するが、図６に示すレンズ装置１０と同様な構成については、詳細な説明を省略する。
【００３２】
図７に示すように、レンズ装置６０は、レンズ鏡筒７０およびマウント部８０により構成される。レンズ鏡筒７０の外周には、フォーカスリング７１、ズームリング７２、フォーカス固定ノブ７３、ズーム固定ノブ７４、アイリス用メータ９２が設けられている。アイリス用メータ９２は、レンズ鏡筒７０に固定された樹脂製の防塵キャップにより覆われている。
【００３３】
図７に示すレンズ装置６０は、いわゆるＣＳマウント型のレンズ装置である。このため、マウント部８０は、ＣＳマウントの規格に則って形成されており、別途の位置決め手段を要することなしに、ＣＳマウントの規格に適合するカメラ本体に結合される。ここで、マウント部８０は、カメラ本体との結合を確実にするために、例えば、剛性の高い樹脂、金属などにより形成されている。
【００３４】
（本発明の一実施形態に係る監視用レンズ装置）
図１は、本発明の一実施形態に係る監視用レンズ装置を示す説明図である。図１には、レンズ装置の上面図（ａ）、側面図（ｂ）、正面図（ｃ）および背面図（ｄ）が示されている。図１に示すレンズ装置１１０は、図６に示すレンズ装置１０に保護カバー３５を適用したものである。このため、以下では、図６に示すレンズ装置１０と同様な構成については、詳細な説明を省略する。
【００３５】
本実施形態に係るレンズ装置１１０では、マウント部３０に保護カバー３５が設けられている。保護カバー３５は、レンズ鏡筒２０の外周に露出して設けられたＩＲカットフィルタ用メータ４１およびアイリス用メータ４２などの電子部品を覆うような形状を有し、マウント部３０と一体に形成されている。なお、図１には、保護カバー３５により覆われた部分が破線で示されている。ここで、保護カバー３５は、露出して設けられた電子部品４１、４２を覆うことで、防塵カバーとしても機能する。
【００３６】
保護カバー３５は、フォーカスリング２１、ズームリング２２、フォーカス／ズーム固定ノブ２３など、操作に用いられる構成を覆わないような形状を有する。また、保護カバー３５には、ケーブル４３などを挿通するための挿通孔３７が設けられている。
【００３７】
図２は、図１に示す監視用レンズ装置のマウント部を詳細に示す説明図である。図２には、マウント部の上面図（ａ）、正面図（ｂ）、下面図（ｃ）、側面図（ｄ）、および背面図（ｅ）が示されている。
【００３８】
図２に示すように、マウント部３０は、結合部および保護カバー３５により構成される。結合部には、撮像素子であるＣＣＤを取付けるためのＣＣＤホルダ３１が設けられている。結合部には、レンズ鏡筒２０に対してマウント部３０を固定し、カメラ本体に対してマウント部３０を結合するために、位置決めピン３２、ネジ孔３３などが設けられている。また、保護カバー３５のうち、レンズ鏡筒２０を挿通する部分には、開口部３６が設けられている。
【００３９】
図２に示すマウント部３０では、保護カバー３５は、マウント部３０と同一または異なる剛性材料によりマウント部３０と一体に形成されている。しかし、保護カバー３５は、適切な剛性を伴う剛性材料によりマウント部３０と別体に形成され、適切な固定手段によりマウント部３０に固定されてもよい。
【００４０】
図２に示すマウント部３０では、保護カバー３５は、ＩＲカットフィルタ用メータ４１およびアイリス用メータ４２などの複数の電子部品を同時に覆うように形成されている。しかし、保護カバー３５は、複数の電子部品４１、４２を各々に覆うように複数の部材として設けられてもよい。また、保護カバー３５は、適切な剛性を確保した上で、例えば、メッシュ状の部材、開口部を有する部材などとして設けられてもよい。
【００４１】
また、保護カバー３５には、レンズ装置１０の光軸方向、ズーム、フォーカスなどの調整に際して、ユーザが保持可能な保持部（不図示）が設けられてもよい。保持部は、保護カバー３５の少なくとも一部にユーザが容易に保持可能なように設けられた、例えば、凹凸部材、滑り止め部材などにより構成することができる。これにより、調整作業に際して手動調整の困難性が低減するので、ＩＲカットフィルタ用メータ４１、アイリス用メータ４２などの電子部品の故障を抑制することができる。
【００４２】
図３は、図１に示す監視用レンズ装置の変形例を示す説明図である。図３には、レンズ装置の上面図（ａ）、側面図（ｂ）、正面図（ｃ）および背面図（ｄ）が示されている。図３に示すレンズ装置１６０は、図７に示すレンズ装置６０に保護カバー８５を適用したものである。このため、以下では、図７に示すレンズ装置６０と同様な構成については、詳細な説明を省略する。
【００４３】
本変形例に係るレンズ装置１６０では、マウント部８０に保護カバー８５が設けられている。保護カバー８５は、アイリス用メータ９２などの電子部品を覆うような形状を有し、マウント部８０と一体に形成されている。なお、図３には、保護カバー８５により覆われた部分が破線で示されている。なお、この場合、アイリス用メータ９２を覆う防塵キャップ（図７参照）を省略することができる。
【００４４】
保護カバー８５は、フォーカスリング７１、ズームリング７２、フォーカス固定ノブ７３、ズーム固定ノブ７４など、操作に用いられる構成を覆わないような形状を有する。また、保護カバー８５には、アイリス制御用ケーブル９３などを挿通するための挿通孔８７が設けられている。
【００４５】
以上説明したように本実施形態に係る監視用レンズ装置１１０、１６０によれば、レンズ鏡筒２０、７０の外周に露出して設けられた電子部品４１、４２、９２を保護カバー３５、８５により覆うことで、監視用カメラ１の設置に際して、電子部品４１、４２、９２の故障を抑制することができる。また、カメラ本体に結合されるマウント部３０、８０に保護カバー３５、８５を設けることで、剛性が高いマウント部３０、８０に保護カバー３５、８５を堅固に設けることができる。
【００４６】
これにより、監視用カメラ１の設置に際して、レンズ鏡筒２０、７０を保持した状態で光軸方向、フォーカスおよびズームを調整する場合でも、レンズ鏡筒２０、７０の外周に設けられた電子部品４１、４２、９２に強い衝撃が加えられることが抑制される。よって、調整作業自体が困難な場合、高精度な調整が要求される場合、レンズ装置１１０、１６０が小型化されている場合でも、電子部品４１、４２、９２の故障を確実に抑制することができる。
【００４７】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００４８】
例えば、上記実施形態の説明では、レンズ鏡筒２０、７０の外周に設けられる電子部品の一例として、ＩＲカットフィルタ用メータ４１、およびアイリス用メータ４２、９２を挙げた。しかし、本発明の実施形態は、電子部品として、他の種類の電子部品が設けられる場合にも同様に適用可能である。
【図面の簡単な説明】
【００４９】
【図１】本発明の一実施形態に係る監視用レンズ装置を示す説明図である。
【図２】図１に示す監視用レンズ装置のマウント部を詳細に示す説明図である。
【図３】図１に示す監視用レンズ装置の変形例を示す説明図である。
【図４】監視用カメラの一例を示す説明図である。
【図５】図４に示す監視用カメラを天井に設置した状態を示す断面図である。
【図６】従来の監視用レンズ装置の一例を示す説明図である。
【図７】従来の監視用レンズ装置の他の例を示す説明図である。
【符号の説明】
【００５０】
１    監視用カメラ
１０、６０、１１０、１６０    監視用レンズ装置
２０、７０    レンズ鏡筒
３０、８０    マウント部
４１    ＩＲカットフィルタ用メータ（電子部品）
４２、９２    アイリス用メータ（電子部品）
３５、８５    保護カバー
【図１】
2009216792.tif 000003
【図２】
2009216792.tif 000004
【図３】
2009216792.tif 000005
【図４】
2009216792.tif 000006
【図５】
2009216792.tif 000007
【図６】
2009216792.tif 000008
【図７】
2009216792.tif 000009